(57)【特許請求の範囲】
【請求項１】
穂先部及び胴部を有する並行する一対のロッドと、両ロッドを相互に間隔をおいて連結する複数の連結部材と、を備え、
前記両ロッドの先端部どうしがラインガイドを備えたガイド付き連結部材で連結され、
前記両ロッドの基端部どうしが基端連結部材により連結され、
前記基端連結部材を介して持ち手ロッド部が設けられていることを特徴とする釣竿。
【請求項２】
前記一対のロッド間にラインガイドが設けられていることを特徴とする、請求項１に記載の釣竿。
【請求項３】
前記持ち手ロッド部にリールシートが設けられていることを特徴とする、請求項１又は２に記載の釣竿。
【請求項４】
前記一対のロッドは、それぞれが継手を備えた継竿の構成であることを特徴とする、請求項１〜請求項３の何れかに記載の釣竿。
【請求項５】
前記一対のロッドは、それぞれが内径の異なる複数の単位ロッドを備えた振出竿の構成であることを特徴とする、請求項１〜請求項３の何れかに記載の釣竿。
【請求項６】
前記ラインガイドは、ラインが通るガイド本体と、前記両ロッドに装着される一対の装着部と、を備えることを特徴とする、請求項２〜請求項５の何れかに記載の釣竿。
【請求項７】
前記装着部が、前記ガイド本体の両側に設けられた環状部で形成されていることを特徴とする、請求項６に記載の釣竿。
【発明の詳細な説明】
【技術分野】
【０００１】
本発明は、二本のロッドを備えた新規な構造の釣竿に関するものである。
【背景技術】
【０００２】
磯釣りや堤防釣り、船釣り等では、それらの釣法に適した釣竿が用いられている。例えば、対象魚やその釣法等に応じて、竿自体の重さや強度、しなり等が最適となった釣竿が用いられる。
【０００３】
この点、竹竿は、軽量でしなやかに撓り、撓りに対する戻り（元の状態に復元すること）がゆっくりであるため、釣り味が良好であるとされている。
【０００４】
一方、マグロやカジキなどの大物釣りに用いられる釣竿では、撓りよりも強度を優先した設計とされるため、竿の形状（長さや太さ）によっては十分な撓りが得られないことが多い。
【０００５】
特許文献１には、繊維強化樹脂からなる竿管を備えた釣竿において、繊維強化樹脂に、その強化繊維として、開繊された竹繊維を含有させる技術が記載されている。この技術により、竹竿の如く、撓りに対する戻りも緩やかで釣り味に優れた釣竿を得ることができる。
【０００６】
特許文献２には、繊維強化樹脂性の釣竿において、釣竿毎の特性に対応するとともに、重量増加を抑制した上で、釣竿の曲げ剛性と戻り剛性をバランス良く備えさせる技術が記載されている。この技術により、より良好な操作性を備えた釣竿を得ることができる。
【０００７】
特許文献３には、炭素繊維とエポキシ樹脂とからなる繊維強化複合材料製管状体を提供するためのプリフレグ、およびこれを加熱して得られる繊維強化複合材料製管状体の技術が記載されている。この技術により、ねじり強さ、剛性等の強度特性に優れた軽量の釣竿やゴルフクラブ用シャフトなどを得ることができる。
【先行技術文献】
【特許文献】
【０００８】
【特許文献１】特開２００３−２５０３９４号公報
【特許文献２】特開２００６−３４５７５６号公報
【特許文献３】特開２００３−１４７１０２号公報
【発明の概要】
【発明が解決しようとする課題】
【０００９】
これら特許文献１〜３には、確かに、撓りに対する戻りを緩やかにする技術、重量増加を抑制した上で、釣竿の曲げ剛性と戻り剛性をバランス良くする技術、ねじり強さ、剛性等の強度特性に優れた軽量のロッドを製造する技術、等が記載されている。
【００１０】
しかしながら、このような従来の技術では、竿自体に要求される高い強度と十分な撓りとを兼ね備え、しかも軽量な釣竿を実現するには限界があった。
なぜなら、ロッドの強度（曲げ剛性）を高めることと、十分な撓りを付与することとは相反する課題となるからである。この点は軽量化に対しても同様である。
例えば、ロッド径を大きくして、ロッド自体により高い強度（曲げ剛性）を付与した場合、その分、ロッドの撓りが低下する上に、重量も増大するという本質的な課題が生じる。
【００１１】
よって、本発明は、竿自体に要求される高い強度や十分な撓り、軽量化等に配慮することができる釣竿を提供することを課題とする。
【課題を解決するための手段】
【００１２】
上記課題を解決する本発明は、並行する一対のロッドと、両ロッドを相互に間隔をおいて連結する連結部材と、を備えていることを特徴とする。
【００１３】
本発明によれば、一対のロッドを並行配置し、連結部材により相互に間隔をおいて連結する構造としたので、ロッド自体に要求される強度を倍又はそれ以上にすることができ、しかも、それぞれのロッド自体の撓りも保持することができる。これにより、竿自体に要求される高い強度や十分な撓りを備えた釣竿を得ることができる。
また、本発明によれば、それぞれのロッドとして、撓りに対する戻りを緩やかにして、釣り味を良好にしたロッドを用いた場合でも、その良好な釣り味をそのまま保持することができる。
さらに、一対のロッドを並行配置し、連結部材により相互に間隔をおいて連結する構造としたので、１本のロッドに比べて、ねじり剛性も格段に向上させることができる。
また、このように一対のロッドを連結して用いることにより、各ロッド径を小さくすることができるので、同一強度の既存の１本のロッドよりも軽量化を図ることが可能になる。
【００１４】
本発明の好ましい形態では、前記一対のロッド間にラインガイドが設けられていることを特徴とする。
このように、ラインガイドを一対のロッド間に設けた構成とした場合、例えば道糸等のラインが一対のロッド間を通るので、そのラインがロッドの表面に接触しないようなラインガイドとすることができる。これにより、リールの使用においても、ロッド表面にラインが接触しないので、その分、摩擦も少なくなり、ライン自体の保護及びロッド表面の保護を効果的に図ることができる。
【００１５】
本発明の好ましい形態では、前記連結部材が、前記ラインガイドを備えていることを特徴とする。
このように、連結部材にラインガイドを備えさせることで、ラインガイドを連結部材として兼用させた構成とすることができる。これにより部品点数を減らしてシンプルな釣竿とすることができる。
また、連結部材にラインガイドを備えさせることで、このラインガイド３１を、既存のラインガイドに存在していたロッド１の表面から大きく突出する端部を無くした構成とすることができる。これにより、ラインガイドにラインがからまるような不具合を根本的に無くすことが可能になる。
【００１６】
本発明の好ましい形態では、前記両ロッドの先端部どうしが前記ラインガイドを備えたガイド付き連結部材で連結され、前記両ロッドの基端部どうしが基端連結部材により連結されていることを特徴とする。
このように構成した場合、両ロッドの先端部をガイド付き連結部材で一体化し、両ロッドの基端部を基端連結部材により一体化することができる。
【００１７】
本発明の好ましい形態では、グリップを有する持ち手ロッド部が、前記基端連結部材を介して連結され、その持ち手ロッド部にリールシートが設けられていることを特徴とする。
このように構成することで、一対のロッドに持ち手ロッド部を連結することができる。これにより、一対のロッドを有する釣竿としても、通常の１本の釣竿と同様に操作することができる。
【００１８】
本発明の好ましい形態として、前記一対のロッドのそれぞれが継手を備えた継竿の構成とすることもできる。
【００１９】
本発明の好ましい形態として、前記一対のロッドのそれぞれが内径の異なる複数の単位ロッドを備えた振出竿の構成とすることもできる。
【００２０】
本発明の好ましい形態として、前記ラインガイドは、ラインが通るガイド本体と、前記両ロッドに装着される一対の装着部と、を備えることを特徴とする。
このように構成した場合、一対の装着部を両ロッドに装着することで、ガイド本体を両ロッドの間に配置することができる。これにより、ラインガイドにラインが絡み付くのを無くすことができる。
【００２１】
本発明の好ましい形態では、前記装着部が、前記ガイド本体の両側に設けられた環状部で形成されていることを特徴とする。
このように、装着部を環状部で形成することで、環状部を両ロッドの外側に嵌め込む形態とすることができる。これにより、装着部の両ロッドに対する装着操作をより簡便にすることができる。
【発明の効果】
【００２２】
本発明の釣竿によれば、一対のロッドを並行配置し、連結部材により相互に間隔をおいて連結する構造としたので、ロッド自体に要求される高い強度と十分な撓りを備えた軽量な釣竿を得ることができる。また、それぞれのロッドとして、撓りに対する戻りを緩やかにして、釣り味を良好にしたロッドを用いた場合でも、その良好な釣り味をそのまま保持することができる。さらに、１本のロッドに比べて、ねじり剛性も格段に向上させることができる。
【図面の簡単な説明】
【００２３】
【図１】本発明の実施形態１に係る釣竿の斜視図である。
【図２】本発明の実施形態１に係る釣竿の部分斜視図である。
【図３】本発明の実施形態１に係る釣竿の部分斜視図である。
【図４】本発明の実施形態２に係る釣竿の斜視図である。
【図５】本発明の実施形態３に係る釣竿の部分斜視図である。
【図６】本発明の実施形態４に係る釣竿の斜視図である。
【図７】本発明の実施形態５に係る釣竿の斜視図である。
【図８】本発明の実施形態６に係る釣竿の要部の斜視図である。
【発明を実施するための形態】
【００２４】
以下、本発明の実施形態について図１ないし図８を参照して説明する。
＜実施形態１＞
図１〜図３は、本発明の実施形態１に係るもので、対象魚が中型から比較的大型に適した、ラインガイド付き釣竿に適用した例を示すものである。
【００２５】
この実施形態１に係る釣竿Ｒは、並行する一対のロッド１、１と、両ロッド１、１を相互に間隔をおいて連結する連結部材２と、を備えている。連結部材２は、ガイド付き連結部材３と、基端連結部材４とを有している。そして、基端連結部材４に、グリップ５１を有する持ち手ロッド部５が連結されている。
次いで、これらの詳細について説明する。
【００２６】
ロッド１、１は、カーボン繊維やガラス繊維等の繊維強化樹脂製のもので、それぞれが対象魚に応じて必要な強度と、撓りを有する標準仕様のロッドが用いられている。例えば、特許文献１〜３に記載のように、ロッドの曲げ剛性と戻り剛性をバランスよく備え、ねじり強さ、剛性等の強度特性に優れた軽量のロッドが用いられている。もちろん、それ以外に従来から存在するロッドや竹竿などを用いることもできる。
【００２７】
連結部材２は、上記のように、ガイド付き連結部材３と、基端連結部材４とを有している。ガイド付き連結部材３は２種類あり、ロッド１の先端側に設けるガイド付き連結部材３と、ロッド１、１間に設けるガイド付き連結部材３とを有している。
【００２８】
先端側のガイド付き連結部材３は、拡大図に示すように、ガイド本体３１と、そのガイド本体３１の両側に一体に設けられた筒状装着部３２、３２とを備えている。筒状装着部３２、３２は、それぞれほぼ９０度屈曲形成され、両ロッド１、１の先端に嵌めこまれて、接着剤等により固定されている。これにより、ロッド１、１の先端部が一体化されている。
なお、ロッド１、１間に設けるガイド付き連結部材３は、図4に示すように、ガイド本体３１と、その両側に設けられた細板状又は線状の支持金属３２、３２とを備えている。そして、支持金属３２、３２をロッド１、１に対して巻き付け糸や接着剤等で固定することで、両ロッドの連結部材としての機能も発揮するように構成されている。
【００２９】
基端連結部材４は三股構造であって、ロッド１１、１１の基端を挿入して連結する２つの筒部４１、４１と、ロッド１、１の軸方向に沿って延びる中央筒部４２とを備えている。そして、この中央筒部４２に対して持ち手ロッド部５の先端が挿入されて一体に連結されている。
【００３０】
持ち手ロッド部５には、リールシート５２を有するリール装着金具が設けられている。このリール装着金具は、図２及び図３に示すように、一般的な構成のものが用いられている。図２では、ベイトキャスティング用などの、両軸リール６を装着可能な回転型締め付け筒５３を有するリール装着金具を設けた例を示している。図３では、スピニングリール７を装着可能な締め付け筒５４を有するリール装着金具を設けた例を示している。
【００３１】
ロッド１、１間の間隔としては特に限定されないが、中型から大物用の釣竿の場合には、安定性、ねじり剛性等の観点から広めの方が良い場合があり、小物用の釣竿の場合には、狭めの方が良い場合がある。何れの場合も、ロッド径や長さ等にも配慮して決定される。また、このロッド１、１の間隔として、両ロッドの基端側から先端側に向かうにしたがって間隔を小さくしても良いし、同一間隔としても良い。
【００３２】
本実施形態によれば、一対のロッド１、１を並行配置し、連結部材３により相互に間隔をおいて連結する構造としたので、ロッド１、１自体に要求される強度を倍にすることができる、しかも、それぞれのロッド１、１自体の撓りも保持することができる。これにより、竿自体に要求される高い強度と十分な撓りとを兼ね備えた軽量な釣竿を得ることができる。
【００３３】
また、本実施形態によれば、それぞれのロッド１、１として、撓りに対する戻りを緩やかにして、釣り味を良好にしたロッドを用いた場合、その良好な釣り味をそのまま保持することができる。
【００３４】
さらに、本実施形態によれば、一対のロッド１、１を並行配置し、連結部材３により相互に間隔をおいて連結する構造としたので、通常の１本のロッドに比べて、ねじり剛性も格段に向上させることができる。
また、このように一対のロッドを連結して用いることにより、各ロッド径を小さくすることができるので、同一強度の既存の１本のロッドよりも軽量化を図ることが可能になる。
【００３５】
また、このように、ラインガイドとなるガイド本体３１を一対のロッド１、１間に設けた構成とすることで、特に、リールから延びる道糸等のライン８（図６参照）が一対のロッド１、１間を通るので、そのライン８がロッド１、１の表面に接触しないようなラインガイドとすることができる。これにより、リールの使用においても、ロッド表面にラインが接触しないので、その分、摩擦も少なくなり、ライン自体の保護及びロッド表面の保護を効果的に図ることができる。
【００３６】
また、このように、連結部材３にラインガイド（ガイド本体）３１を備えさせることで、ラインガイド３１を連結部材として兼用させた構成とすることができる。しかも、ライン８（図６参照）がロッド１、１間を通るため、ロッドが湾曲した場合でも、ロッド表面に接触しないので、図示のように、ラインガイド３１どうしの間隔を広げて、その個数を少なくすることが可能になる。これにより部品点数を減らしてシンプルな釣竿とすることができる。
【００３７】
また、連結部材３にラインガイド３１を備えさせることで、このラインガイド３１を、既存のラインガイドに存在していたロッド１の表面から大きく突出する端部を無くした構成とすることができる。これにより、ラインガイド３１にラインがからまるような不具合を根本的に無くすことができる。
【００３８】
本実施形態では、前記両ロッド１、１の先端部どうしを前記ラインガイド３１を備えたガイド付き連結部材３で連結し、前記両ロッド１、１の基端部どうしを基端連結部材４により連結した構成とすることで、両ロッド１、１の先端部をガイド付き連結部材３で一体化し、両ロッド１、１の基端部を基端連結部材４により確実かつ高精度に一体化することができる。
【００３９】
また、グリップ５１を有する持ち手ロッド部５を、基端連結部材４を介して連結し、その持ち手ロッド部にリールシート５２を設けた構成とすることで、一対のロッド１、１に持ち手ロッド部５を同軸に連結することができる。これにより、一対のロッドを有する釣竿としても、通常の１本の釣竿と同様に操作することができる。
【００４０】
＜実施形態２＞
図４は、本発明の実施形態２に係るもので、この実施形態では、前記一対のロッド１、１のそれぞれが継手を備えた継竿の構成とした例を示したものである。
【００４１】
図４に示す例は、二本継の継竿であり、それぞれの半ロッド１１、１１が挿入端部９、９を有する竿先部分１Ａと、それぞれの半ロッド１２、１２が受容端部１０、１０を有する竿元部分１Ｂとを有している。竿先部分１Ａの半ロッド１１、１１の先端部どうしは、ガイド付き連結部材３によって一体に連結されている。竿元部分１Ｂのロッド１２、１２どうしは、ガイド付き連結部材３と、基端連結部材４とによって一体に連結されている。
【００４２】
竿元部分１Ｂのロッド１、１を連結するガイド付き連結部材３は、この実施形態では、ガイド本体３１と、その両側に一体に設けられた筒状の装着部３４とを有している。
なお、この実施形態２においても、継竿である点を除けば、先の実施形態１と同様の効果を得ることができる。
【００４３】
＜実施形態３＞
図５は、本発明の実施形態３に係るもので、この実施形態では、前記一対のロッド１、１のそれぞれが内径の異なる複数（３本）の単位ロッド１ａ、１ｂ、１ｃを備えた振出竿の構成とした例を示したものである。
【００４４】
図５に示す例では、ガイド付き連結部材３として、単位ロッド１aの先端側に設けるガイド付き連結部材３と、その単位ロッド１aの長さ方向の中間部に固定する可動タイプのガイド付き連結部材３と、単位ロッド１ｂ、１ｃの端部に設けるガイド付き連結部材３とを備えている。
【００４５】
竿先となる単位ロッド１a、１aを連結する可動タイプのガイド付き連結部材３は、この実施形態では、ガイド本体３１と、その両側に一体に設けられたリング状の装着部３５とを有している。
なお、この実施形態３においても、振出竿である点を除けば、先の実施形態１と同様の効果を得ることができる。
【００４６】
＜実施形態４＞
図６は、本発明の実施形態４に係るもので、この実施形態では、ガイド本体３１と、筒状の装着部３４を有するガイド付き連結部材３のみを装備した釣竿の例を示すものである。
【００４７】
このように、筒状の装着部３４を有するガイド付き連結部材３のみを装備する構成とすることで、ガイド付き連結部材３を接着剤等を利用して簡易に装備することができる上に、連結部材としての機能及び取付強度を十分に高めることができる。
なお、このガイド付き連結部材３としては、筒状の装着部３４、３４をロッドに対して必ずしも固定状態に取り付けなくても良い。例えば、可動タイプのガイド付き連結部材３（３Ａ）のようにロッドに沿ってスライドさせて、所定のスライド位置で緊密に嵌め込む構造としてもよい。
【００４８】
＜実施形態５＞
図７（ａ）、（ｂ）は、本発明の実施形態５に係るもので、この実施形態では、対象魚が小型となる細めの釣竿に適用した例を示すものである。
【００４９】
この実施形態の釣竿でも、図７（ｂ）に示すように、継竿の構成としても良いし、振出竿の構成としても良い。
図７（ｂ）に示す例は二本継の継竿であり、それぞれの半ロッド１１、１１が挿入端部９、９を有する竿先部分と、それぞれの半ロッド１２、１２が受容端部１０、１０を有する竿元部分とを有している。
このように、対象魚が小型となる細めの釣竿とした場合でも、高い強度と十分な撓りを兼ね備えた軽量の釣竿とすることができる。
【００５０】
＜実施形態６＞
図８（ａ）、（ｂ）、（ｃ）は、本発明の実施形態６に係るもので、この実施形態では、一体に連結された一対のロッド１、１に対し、基端連結部材４の回転許容部４３を介して持ち手ロッド部５が一定の範囲（角度）で回転可能に構成した例を示すものである。
【００５１】
図８（ａ）を基準として、（ｂ）に示す例では、左右に４５度程度回転可能であり、（ｃ）に示す例では、左右に９０度程度回転可能な例を示している。
このように構成することで、対象魚が斜めに引き込んだ場合でも、ロッド１、１が一体となってその方向へ向くように一定角度回転するので、竿自体にねじれが生じるのを効果的に防止することができる。
【００５２】
この実施形態では、一体に連結された一対のロッド１、１に対し、回転許容部４３を介して持ち手ロッド部５が一定の範囲（角度）で回転可能に構成した例を示したが、回転角度を制限することなく自在に回転する構成としても良い。また、回転許容部４３の機能として、回転時の抵抗を与える構成としても良い。  
【００５３】
なお、一対のロッド１、１を有する釣竿Ｒとしては、次のような単機能の目的のため（だけ）にこの構造を適用可能である。
（１）高い強度や弾性（だけ）を得たい場合。
（２）しなやかさ（だけ）を得たい場合。
（３）細さを求めたい場合。
（４）軽さを求めたい場合。
ここで、軽くできるということは、意図的にウエイトを加えることが可能になるため、最適な重量バランス追及できることにもつながる利点がある。
【００５４】
また、一対のロッド１、１としては、中空に限らず、充実ロッドにも本発明を適用可能である。さらに、断面形状も円形に限らず、楕円でも多角形でも良い。
【００５５】
また、一対のロッド１、１の間隔を連結部材２によってほぼ一定に保持する構造であれば、必ずしもラインガイドを固定する必要はない。例えば着脱式でも良い。着脱式としては、トップガイドをクリップ機能を備えた着脱式とすることで、それ以外のラインガイド(ガイド付き連結部材３)を全て着脱可能な構造とすることができる。例えば、振出型ロッドの可動ガイドのように、全てのガイドを上から（竿先から）通してキュッと押さえて装着するタイプにすることができる。その場合のガイドの位置合わせは全く不要となる。
【００５６】
このように構成した場合、従来のように、ガイドとロッドを一定の機械的強度で固定するための糸巻工程や接着工程を不要にすることができる。これにより、ロッドの構造がシンプルになり、軽量化にもつながり、製造コストを下げられ、修理やカスタムの自由度も高めることが可能になる。
【符号の説明】
【００５７】
１  ロッド
２  連結部材
３  ガイド付き連結部材
４  基端連結部材
５  手持ちロッド部
６  両軸リール
７  スピニングリール
８  ライン（道糸）
９  挿入端部
１０  受容端部
Ｒ  釣竿
【要約】
【課題】竿自体に要求される高い強度と十分な撓りとを兼ね備えた釣竿を提供すること。
【解決手段】並行する一対のロッド１、１と、両ロッド１、１を相互に間隔をおいて連結する連結部材２と、を備えている。そして、前記一対のロッド１、１間にラインガイド３１が設けられている。
【選択図】図１【図１】
0005490953.tif 000002
【図２】
0005490953.tif 000003
【図３】
0005490953.tif 000004
【図４】
0005490953.tif 000005
【図５】
0005490953.tif 000006
【図６】
0005490953.tif 000007
【図７】
0005490953.tif 000008
【図８】
0005490953.tif 000009